(57)【要約】【課題】電子レジスタにより認証された利用者とは異なる者によって、画像形成装置を管理するための管理モードが起動されるのを防止する。【解決手段】電子レジスタ１は、利用者による当該電子レジスタ１の操作の開始にあたり、利用者を認証する認証部１１と、認証部１１により利用者が認証された後に、画像形成装置２を管理するための管理モードを起動させるための認証情報を画像形成装置１と共有する共有部Ｃ１とを有する。画像形成装置２は、認証情報を電子レジスタ１と共有する共有部Ｃ２と、利用者による認証情報の入力を受け付ける認証情報受付部２１と、認証情報受付部２１により受け付けられた認証情報が、共有部Ｃ２により共有された認証情報に対応する場合に、管理モードを起動する管理モード起動部２３とを有する。【選択図】図１
2014225079.tif 000002
【特許請求の範囲】
【請求項１】
電子レジスタと、
画像形成装置とを有し、
前記電子レジスタは、
利用者による当該電子レジスタの操作の開始にあたり、前記利用者を認証する認証手段と、
前記認証手段により前記利用者が認証された後に、前記画像形成装置を管理するための管理モードを起動させるための認証情報を前記画像形成装置と共有する第１共有手段と
を有し、
前記画像形成装置は、
前記認証情報を前記電子レジスタと共有する第２共有手段と、
前記利用者による認証情報の入力を受け付ける第１受付手段と、
前記第１受付手段により受け付けられた認証情報が、前記第２共有手段により共有された認証情報に対応する場合に、前記管理モードを起動する起動手段と
を有する認証システム。
【請求項２】
前記画像形成装置は、
前記電子レジスタから認証情報の送信の要求を取得する取得手段と、
前記取得手段が前記要求を取得すると前記認証情報を生成する生成手段と
を有し、
前記第２共有手段は、前記生成手段により生成された認証情報を前記電子レジスタに送信し、
前記電子レジスタは、
前記第２共有手段により送信された認証情報を表示部に表示する表示手段を有する
ことを特徴とする請求項１に記載の認証システム。
【請求項３】
前記電子レジスタは、
前記利用者による指示の入力を受けて前記認証情報を生成する生成手段と、
前記生成手段により生成された認証情報を表示部に表示する表示手段と
を有し、
前記第１共有手段は、前記生成手段により生成された認証情報を前記画像形成装置に送信する
ことを特徴とする請求項１に記載の認証システム。
【請求項４】
前記第１受付手段は、前記表示手段により表示された認証情報を撮影した移動通信端末から、当該認証情報の入力を受け付ける
ことを特徴とする請求項２または３に記載の認証システム。
【請求項５】
前記起動手段は、前記表示手段によりある認証情報が表示されたときから決められた時間以内に前記第１受付手段が当該認証情報の入力を受け付けた場合に、前記管理モードを起動する
ことを特徴とする請求項２ないし４のいずれか１項に記載の認証システム。
【請求項６】
前記電子レジスタは、
前記認証手段が前記利用者を認証するための認証情報の入力を受け付ける第２受付手段を有し、
前記第１共有手段は、前記第２受付手段により受け付けられた認証情報を前記画像形成装置に送信する
ことを特徴とする請求項１に記載の認証システム。
【請求項７】
前記電子レジスタは、
前記認証手段が前記利用者を認証するための認証情報とは異なる認証情報の入力を受け付ける第２受付手段を有し、
前記第１共有手段は、前記第２受付手段により受け付けられた認証情報を前記画像形成装置に送信し、
前記第２共有手段は、前記第１共有手段により送信された認証情報を取得し、
前記起動手段は、前記第１受付手段により受け付けられた認証情報が、前記第２共有手段により取得された認証情報に対応する場合に、前記管理モードを起動する
ことを特徴とする請求項１に記載の認証システム。
【請求項８】
前記起動手段は、前記第２受付手段によりある認証情報の入力が受け付けられたときから決められた時間以内に前記第１受付手段が当該認証情報の入力を受け付けた場合に、前記管理モードを起動する
ことを特徴とする請求項６または７に記載の認証システム。
【請求項９】
前記起動手段は、前記第１受付手段が受け付けたある認証情報の入力により前記管理モードが起動された回数が決められた回数以下である場合に、前記管理モードを起動する
ことを特徴とする請求項１ないし８のいずれか１項に記載の認証システム。
【請求項１０】
前記起動手段は、前記第１受付手段により受け付けられた認証情報が、前記第２共有手段により最も新しく共有された認証情報に対応する場合に、前記管理モードを起動する
ことを特徴とする請求項１ないし９のいずれか１項に記載の認証システム。
【発明の詳細な説明】
【技術分野】
【０００１】
本発明は、画像形成装置の認証システム関する。
【背景技術】
【０００２】
画像形成装置を店舗に設置し、店舗の利用者に複写サービスまたはプリントサービスなどのサービスを提供することが知られている。特許文献１には、店舗のスタッフが、サービスの提供に用いられる画像形成装置を利用して業務に関する書類を印刷する場合において、画像形成装置に認証機能を設けることでセキュリティを確保する技術が記載されている。特許文献２には、携帯端末を利用して画像形成装置の利用者を認証する技術が記載されている。特許文献３には、金融機関における取引明細履歴が第三者によって不正に入手されることを防ぐため、金融端末によって出力されたＰＩＮコードをユーザが出力装置に対して入力することが記載されている。特許文献４には、画像処理装置が予め設定されたパラメータに応じて、ホストコンピュータから出力された命令の実行を制限することが記載されている。
【先行技術文献】
【特許文献】
【０００３】
【特許文献１】特開２００４−２１３１７０号公報
【特許文献２】特開２００３−２３７１８５号公報
【特許文献３】特開２０１０−２７７１３０号公報
【特許文献４】特開平１１−２０３０７４号公報
【発明の概要】
【発明が解決しようとする課題】
【０００４】
本発明は、電子レジスタにより認証された利用者とは異なる者によって、画像形成装置を管理するための管理モードが起動されるのを防止することを目的とする。
【課題を解決するための手段】
【０００５】
請求項１に係る認証システムは、電子レジスタと、画像形成装置とを有し、前記電子レジスタは、利用者による当該電子レジスタの操作の開始にあたり、前記利用者を認証する認証手段と、前記認証手段により前記利用者が認証された後に、前記画像形成装置を管理するための管理モードを起動させるための認証情報を前記画像形成装置と共有する第１共有手段とを有し、前記画像形成装置は、前記認証情報を前記電子レジスタと共有する第２共有手段と、前記利用者による認証情報の入力を受け付ける第１受付手段と、前記第１受付手段により受け付けられた認証情報が、前記第２共有手段により共有された認証情報に対応する場合に、前記管理モードを起動する起動手段とを有する。
【０００６】
請求項２に係る認証システムは、請求項１に記載の構成において、前記画像形成装置は、前記電子レジスタから認証情報の送信の要求を取得する取得手段と、前記取得手段が前記要求を取得すると前記認証情報を生成する生成手段とを有し、前記第２共有手段は、前記生成手段により生成された認証情報を前記電子レジスタに送信し、前記電子レジスタは、前記第２共有手段により送信された認証情報を表示部に表示する表示手段を有することを特徴とする。
【０００７】
請求項３に係る認証システムは、請求項１に記載の構成において、前記電子レジスタは、前記利用者による指示の入力を受けて前記認証情報を生成する生成手段と、前記生成手段により生成された認証情報を表示部に表示する表示手段とを有し、前記第１共有手段は、前記生成手段により生成された認証情報を前記画像形成装置に送信することを特徴とする。
【０００８】
請求項４に係る認証システムは、請求項２または３に記載の構成において、前記第１受付手段は、前記表示手段により表示された認証情報を撮影した移動通信端末から、当該認証情報の入力を受け付けることを特徴とする。
【０００９】
請求項５に係る認証システムは、請求項２ないし４のいずれ１項に記載の構成において、前記起動手段は、前記表示手段によりある認証情報が表示されたときから決められた時間以内に前記第１受付手段が当該認証情報の入力を受け付けた場合に、前記管理モードを起動することを特徴とする。
【００１０】
請求項６に係る認証システムは、請求項１に記載の構成において、前記電子レジスタは、前記認証手段が前記利用者を認証するための認証情報の入力を受け付ける第２受付手段を有し、前記第１共有手段は、前記第２受付手段により受け付けられた認証情報を前記画像形成装置に送信することを特徴とする。
【００１１】
請求項７に係る認証システムは、請求項１に記載の構成において、前記電子レジスタは、前記認証手段が前記利用者を認証するための認証情報とは異なる認証情報の入力を受け付ける第２受付手段を有し、前記第１共有手段は、前記第２受付手段により受け付けられた認証情報を前記画像形成装置に送信し、前記第２共有手段は、前記第１共有手段により送信された認証情報を取得し、前記起動手段は、前記第１受付手段により受け付けられた認証情報が、前記第２共有手段により取得された認証情報に対応する場合に、前記管理モードを起動することを特徴とする。
【００１２】
請求項８に係る認証システムは、請求項６または７に記載の構成において、前記起動手段は、前記第２受付手段によりある認証情報の入力が受け付けられたときから決められた時間以内に前記第１受付手段が当該認証情報の入力を受け付けた場合に、前記管理モードを起動することを特徴とする。
【００１３】
請求項９に係る認証システムは、請求項１ないし８のいずれ１項に記載の構成において、前記起動手段は、前記第１受付手段が受け付けたある認証情報の入力により前記管理モードが起動された回数が決められた回数以下である場合に、前記管理モードを起動することを特徴とする。
【００１４】
請求項１０に係る認証システムは、請求項１ないし９のいずれ１項に記載の構成において、前記起動手段は、前記第１受付手段により受け付けられた認証情報が、前記第２共有手段により最も新しく共有された認証情報に対応する場合に、前記管理モードを起動することを特徴とする。
【発明の効果】
【００１５】
請求項１に係る発明によれば、電子レジスタにより認証された利用者とは異なる者によって、画像形成装置を管理するための管理モードが起動されることが防止される。
請求項２に係る発明によれば、電子レジスタと画像形成装置とで共有された認証情報が表示部に表示される。
請求項３に係る発明によれば、電子レジスタと画像形成装置とで共有された認証情報が表示部に表示される。
請求項４に係る発明によれば、画像形成装置への認証情報の入力が、移動通信端末により行われる。
請求項５に係る発明によれば、認証情報が表示されたときから決められた時間が経過した後に、管理モードが起動されることが防止される。
請求項６に係る発明によれば、電子レジスタの操作の開始にあたり利用者を認証するための認証情報が、電子レジスタと画像形成装置とで共有される。
請求項７に係る発明によれば、電子レジスタの操作の開始にあたり利用者を認証するための認証情報とは異なる認証情報が、電子レジスタと画像形成装置とで共有される。
請求項８に係る発明によれば、電子レジスタが認証情報の入力を受け付けたときから決められた時間が経過した後に、管理モードが起動されることが防止される。
請求項９に係る発明によれば、ある認証情報の入力において、決められた回数を超えて管理モードが起動されることが防止される。
請求項１０に係る発明によれば、電子レジスタと画像形成装置とで新たな認証情報が共有された場合に、先に共有された認証情報が画像形成装置に入力されて管理モードが起動されることが防止される。
【図面の簡単な説明】
【００１６】
【図１】認証システムＡＳの機能的構成を示すブロック図
【図２】認証システムＡＳ１の全体構成を示す図
【図３】認証システムＡＳ１の機能的構成を示すブロック図
【図４】電子レジスタ１のハードウェア構成を示すブロック図
【図５】画像形成装置２のハードウェア構成を示すブロック図
【図６】移動通信端末３のハードウェア構成を示すブロック図
【図７】認証システムＡＳ１において実行される処理を示すシーケンスチャート
【図８】認証システムＡＳ２の機能的構成を示すブロック図
【図９】認証システムＡＳ２において実行される処理を示すシーケンスチャート
【図１０】認証システムＡＳ３の全体構成を示す図
【図１１】認証システムＡＳ３の機能的構成を示すブロック図
【図１２】認証システムＡＳ３において実行される処理を示すシーケンスチャート
【図１３】認証システムＡＳ４の全体構成を示す図
【発明を実施するための形態】
【００１７】
図１は、本発明に係る認証システムＡＳの機能的構成を示すブロック図である。認証システムＡＳは、複写、プリント、ファクシミリ、またはスキャンなどの画像形成装置を利用したサービスを提供する店舗（例えば、コンビニエンスストア、フォトサービスショップ、プリントサービスショップなど）において店員が画像形成装置を管理するために用いられる。認証システムＡＳは、電子レジスタ１と、画像形成装置２とを有する。電子レジスタ１は、店舗で商品の決済をするために店員によって利用される情報処理装置である。電子レジスタ１は、例えば、ＰＯＳ（Point of Sales;販売時点情報管理）システムにおける端末装置（いわゆるＰＯＳレジスタ）であり、インターネットを介して図示せぬ管理サーバと接続されている。電子レジスタ１は、認証部１１と、共有部Ｃ１とを有する。認証部１１（認証手段の一例）は、店員が電子レジスタ１の操作を開始するにあたり、当該店員を認証する。すなわち、認証部１１は、店員を認証することにより、店員その他の利用者が電子レジスタ１を操作して各種機能を実行することが制限された状態を解除する。共有部Ｃ１（第１共有手段の一例）は、認証部１１が店員を認証した後に、画像形成装置２と認証情報を共有する。認証情報とは、画像形成装置２において、店員が管理モードを起動するのに用いる情報である。管理モードは、画像形成装置２を管理するためのモードであって、例えば、外部装置との接続の確認若しくは調整を行う機能、消耗品の交換若しくは注文を行う機能、コインベンダーを管理するための機能、画像形成装置２を管理するソフトウェアのバージョンの確認若しくは更新をするための機能、またはスピーカ若しくはディスプレイなどのユーザインタフェースの動作を調整するための機能などを実行させるためのモードである。
【００１８】
画像形成装置２は、複写機、プリンタ、スキャナおよびファクシミリなどとして機能する装置である。画像形成装置２は、共有部Ｃ２と、認証情報受付部２１と、認証部２２と、管理モード起動部２３とを有する。共有部Ｃ２（第２共有手段の一例）は、電子レジスタ１と認証情報を共有する。認証情報受付部２１（第１受付手段の一例）は、店員による認証情報の入力を受け付ける。認証部２２は、認証情報受付部２１により受け付けられた認証情報が共有部Ｃ２により共有された認証情報に対応することを確認し、対応することが確認できた場合に、認証情報の入力をした店員を認証する。管理モード起動部２３（起動手段の一例）は、認証部２２により店員が認証されると管理モードを起動する。
【００１９】
次に、認証システムＡＳの具体的な実施形態について説明する。なお、以下で説明する複数の認証システムＡＳのうち、異なる認証システムＡＳにおいて用いられる異なる技術が組み合わされて用いられてもよい。また、以下で説明する複数の認証システムＡＳのうち、一の認証システムＡＳにおいて行われる処理が、他の認証システムＡＳにおいて行われる処理に置き換えられて用いられてもよい。
【００２０】
（第１実施形態）
図２は、本発明の第１実施形態に係る認証システムＡＳ１の全体構成を示す図である。電子レジスタ１と画像形成装置２とは有線のＬＡＮ（Local Area Network）により接続されており、認証情報を共有する。電子レジスタ１は、共有された認証情報を表示部１０４に表示する。図２に示す例では、電子レジスタ１は、認証情報として二次元のＱＲ（クイックレスポンス）コード（登録商標）を表示している。認証システムＡＳ１においては、電子レジスタ１と画像形成装置２とに加えて移動通信端末３が用いられる。移動通信端末３は、画像形成装置２に対して認証情報を入力するために店員により利用される携帯電話機である。移動通信端末３は、カメラと赤外線ポートとを備えており、表示部１０４に表示された認証情報をカメラによって撮影し、撮影された認証情報を赤外線ポートを介して画像形成装置２に入力する。
【００２１】
図３は、認証システムＡＳ１の機能的構成を示すブロック図である。電子レジスタ１は、図１に示した構成に加えて、指示受付部１２と、認証要求送信部１３と、認証情報表示部１５とを有する。電子レジスタ１は、また、共有部Ｃ１の具体例として認証情報取得部１４を有する。指示受付部１２は、電子レジスタ１と画像形成装置２とで認証情報を共有させるための指示（以下、「共有指示」という）の入力を受け付ける。認証要求送信部１３は、指示受付部１２が共有指示を受け付けると、認証情報の送信を求める要求（以下、「認証要求」という）を画像形成装置２に送信する。認証情報取得部１４は、画像形成装置２により送信された認証情報を取得する。認証情報表示部１５は、認証情報取得部１４により取得された認証情報を表示部１０４に表示する。
【００２２】
画像形成装置２は、図１に示した構成に加えて、認証要求取得部２４と、認証情報生成部２５と、認証情報記憶部２６とを有する。画像形成装置２は、また、共有部Ｃ２の具体例として認証情報送信部２７を有する。認証要求取得部２４（取得手段の一例）は、電子レジスタ１から送信された認証要求を取得する。認証情報生成部２５は、認証要求取得部２４が認証要求を取得すると、認証情報を生成する。認証情報生成部２５は、認証要求取得部２４が認証要求を取得する度に新たな認証情報を生成する。認証情報記憶部２６は、認証情報生成部２５により生成された認証情報を記憶する。認証情報送信部２７は、認証情報記憶部２６により記憶された認証情報を電子レジスタ１に送信する。認証システムＡＳ１において、認証情報受付部２１は、移動通信端末３から認証情報の入力を受け付ける。認証部２２は、認証情報受付部２１により受け付けられた認証情報が認証情報送信部２７により送信された認証情報に対応することを確認し、対応することが確認できた場合に、認証情報の入力をした店員を認証する。管理モード起動部２３は、認証部２２により店員が認証されると管理モードを起動する。
【００２３】
移動通信端末３は、認証情報撮影部３１と、認証情報送信部３２とを有する。認証情報撮影部３１は、認証情報表示部１５により表示された認証情報を撮影する。認証情報送信部３２は、認証情報撮影部３１により撮影された認証情報を画像形成装置２に送信する。
【００２４】
図４は、電子レジスタ１のハードウェア構成を示すブロック図である。電子レジスタ１は、制御部１０１、通信部１０２、記憶部１０３、表示部１０４、入力部１０５、バーコードリーダ１０６、ドロア１０７、および印字部１０８を有する。制御部１０１は、プログラムを実行することにより電子レジスタ１の各部の動作を制御する。制御部１０１は、ＣＰＵ（Central Processing Unit）とＲＯＭ（Read Only Memory）とＲＡＭ（Random Access Memory）とを有する。通信部１０２は、画像形成装置２などの外部装置と通信を行なう。通信部１０２は、外部装置と接続するための各種端子（例えば、ＵＳＢ（Universal Serial Bus）端子、有線または無線ＬＡＮインタフェースなど）を備える。記憶部１０３は、データおよびプログラムを記憶する記憶装置、例えばＨＤＤ（Hard Disk Drive）である。記憶部１０３は、制御部１０１により用いられるデータおよびプログラムを記憶する。表示部１０４は、液晶ディスプレイまたは有機ＥＬディスプレイなどの表示装置を有し、電子レジスタ１を操作するためのメニュー画面、または各種メッセージを表示する。入力部１０５は、電子レジスタ１にデータまたは指示を入力するための各種キー（電子決済キー、テンキー、文字キー、および電子レジスタ１のモード（登録、精算、点検など）を切り替えるためのモードキーなど）を備える。入力部１０５は、また、表示部１０４のディスプレイに重ねて設けられたタッチスクリーン（タッチパネル）を備える。バーコードリーダ１０６は、商品に表示された１次元または２次元のバーコードを光学的に読み取るスキャナである。ドロア１０７は、現金を収納する引き出しである。印字部１０８は、レシート用のロール紙に印字を行い、領収書を発行する装置である。
【００２５】
図４において、制御部１０１は、認証部１１の一例である。制御部１０１により制御された入力部１０５は、指示受付部１２の一例である。制御部１０１により制御された通信部１０２は、認証要求送信部１３および認証情報取得部１４の一例である。制御部１０１により制御された表示部１０４は、認証情報表示部１５の一例である。
【００２６】
図５は、画像形成装置２のハードウェア構成を示すブロック図である。画像形成装置２は、制御部２０１、通信部２０２、記憶部２０３、表示部２０４、入力部２０５、読み取り部２０６、および画像形成部２０７を有する。制御部２０１は、プログラムを実行することにより画像形成装置２の各部の動作を制御する。制御部２０１は、ＣＰＵとＲＯＭとＲＡＭとを有する。通信部２０２は、電子レジスタ１または移動通信端末３などの外部装置と通信を行なう。通信部２０２は、外部装置と接続するための各種端子（例えば、ＵＳＢ端子、有線または無線ＬＡＮインタフェース、電話回線（ＬＩＮＥ）端子など）を備える。通信部２０２は、また、移動通信端末３と赤外線通信を行なうための赤外線ポートを備える。記憶部２０３は、データおよびプログラムを記憶する記憶装置、例えばＨＤＤである。記憶部２０３は、制御部２０１により用いられるデータおよびプログラムを記憶する。表示部２０４は、液晶ディスプレイまたは有機ＥＬディスプレイなどの表示装置を有し、画像形成装置２を操作するためのメニュー画面または各種メッセージを表示する。入力部２０５は、画像形成装置２にデータまたは指示を入力するための各種キーを備える。入力部２０５は、また、表示部２０４のディスプレイに重ねて設けられたタッチスクリーン（タッチパネル）を備える。利用者が表示部２０４のタッチスクリーンまたは入力部２０５を操作することにより、画像形成装置２に対する各種指示や各種設定が行われる。読み取り部２０６は、原稿を光学的に読み取り、読み取った原稿を画像データとして出力するイメージスキャナである。画像形成部２０７は、例えば電子写真方式またはインクジェット方式により用紙に画像を形成する。
【００２７】
図５において、制御部２０１は、認証情報生成部２５、認証情報記憶部２６、認証部２２、および管理モード起動部２３の一例である。制御部２０１により制御された通信部２０２は、認証要求取得部２４、認証情報送信部２７、および認証情報受付部２１の一例である。
【００２８】
図６は、移動通信端末３のハードウェア構成を示すブロック図である。移動通信端末３は、制御部３０１、通信部３０２、表示部３０３、入力部３０４、音声入出力部３０５、および撮影部３０６を有する。制御部３０１は、ＣＰＵとＲＡＭとＲＯＭとを有し、プログラムを実行することにより移動通信端末３の各部の動作を制御する。通信部３０２は、画像形成装置２または他の移動通信端末などの外部装置と通信を行なう。通信部３０２は、画像形成装置２と赤外線通信を行なうための赤外線ポートを備える。通信部３０２は、またネットワークまたは通信回線を介して他の移動通信端末などと通信を行なうためのアンテナおよび通信回路を備える。表示部３０３は、液晶ディスプレイなどの表示装置を有し、移動通信端末３を操作するためのメニュー画面または各種情報を表示する。表示部３０３は、また、撮影部３０６により被写体を撮影するときのファインダーとして機能する。入力部３０４は、移動通信端末３にデータまたは指示を入力するための各種キー（テンキー、クリアキー、およびカーソルキーなど）を備える。音声入出力部３０５は、マイクロフォンなどの収音部材、スピーカなどの放音部材、およびＤＳＰ（Digital Signal Processor）などの音声処理回路を有する。撮影部３０６は、被写体を撮影するためのカメラであり、撮影レンズ、ＣＣＤ（Charge Coupled Device）、および信号処理回路を有する。
【００２９】
図６において、制御部３０１により制御された撮影部３０６は、認証情報撮影部３１の一例である。制御部３０１により制御された通信部３０２は、認証情報送信部３２の一例である。
【００３０】
図７は、認証システムＡＳ１において実行される処理を示すシーケンスチャートである。以下の処理は、電子レジスタ１がロックされている（店員その他の利用者が電子レジスタ１を操作して各種機能（例えば、ドロア１０７から現金を取り出す機能など）を実行することが制限されている）状態で開始される。ステップＳＡ１において、電子レジスタ１の制御部１０１は、電子レジスタ１の利用者を認証する。利用者の認証は、利用者（ここでは店員）が電子レジスタ１の操作を開始して各種機能を実行するにあたり、ロックを解除するために行われる。利用者の認証は、例えば、店員が自らのネームカードに印刷されたバーコードをバーコードリーダ１０６に読み取らせることにより行われる。ネームカードに印刷されたバーコードは、店員の認証コードを示しており、これが予め記憶部１０３に記憶された店員の認証コードと対応する場合には、店員は認証され、電子レジスタ１のロックは解除される。
【００３１】
ステップＳＡ２において、制御部１０１は、共有指示の入力を受け付ける。電子レジスタ１の入力部１０５には例えば、共有指示を入力するためのキーが設けられており、店員がこのキーを押すことにより共有指示の入力が受け付けられる。ステップＳＡ３において、制御部１０１は、画像形成装置２に対して認証要求を送信する。
【００３２】
ステップＳＡ４において、画像形成装置２の制御部２０１は、認証情報を生成する。具体的には、制御部２０１は、ＲＯＭに記憶されたプログラムが示すアルゴリズムに従って、認証情報を生成する。この例で、制御部２０１は、ＱＲコードを認証情報として生成する。制御部２０１は、電子レジスタ１から認証要求が送信される度に異なるＱＲコードを生成する。ステップＳＡ５において、制御部２０１は、生成された認証情報をＲＡＭに記憶する。ステップＳＡ６において、制御部２０１は、ＲＡＭに記憶された認証情報を電子レジスタ１に送信する。ステップＳＡ７において、電子レジスタ１の制御部１０１は、画像形成装置２から送信された認証情報を表示部１０４に表示する。
【００３３】
ステップＳＡ８において、移動通信端末３の制御部３０１は、表示部１０４に表示された認証情報を撮影する。店員は、表示部１０４に表示された認証情報が、撮影部３０６の撮影レンズに映るように移動通信端末３を構える。制御部３０１は、撮影された画像の画像データから認証情報を取得し、ＲＡＭに記憶する。ステップＳＡ９において、制御部３０１は、ＲＡＭに記憶された認証情報を画像形成装置２に送信する。店員は、移動通信端末３の赤外線ポートと画像形成装置２の赤外線ポートとが向かい合うように移動通信端末３を構え、画像形成装置２に認証情報を入力する。
【００３４】
ステップＳＡ１０において、画像形成装置２の制御部２０１は、移動通信端末３により送信された認証情報をＲＡＭに記憶する。ステップＳＡ１１において、制御部２０１は、ステップＳＡ４で生成された認証情報とステップＳＡ９で移動通信端末３から送信された認証情報とをＲＡＭから読み出して、これらの認証情報が対応するか否かを判断する。これらの認証情報が対応すると判断された場合（ステップＳＡ１１：ＹＥＳ）、制御部２０１は、処理をステップＳＡ１２に移行する。これらの認証情報が対応しないと判断された場合（ステップＳＡ１１：ＮＯ）、制御部２０１は、再び移動通信端末３から認証情報が入力されるまで処理を待機する。
【００３５】
ステップＳＡ１２において、制御部２０１は、管理モードを起動するための条件であって、定められた条件（以下、「起動条件」という）を充たすか否かを判断する。起動条件としては、例えば、ある認証情報が表示部１０４に表示されたときから決められた時間以内に、画像形成装置２が当該認証情報の入力を受け付けたか否かが判断される。この場合、電子レジスタ１の制御部１０１は、ある認証情報が表示部１０４に表示された時刻を当該認証情報に対応付けて画像形成装置２に送信し、画像形成装置２の制御部２０１は、当該時刻から決められた時間以内に当該認証情報の入力を受け付けた場合に、起動条件を充たすと判断する。起動条件の別の例としては、画像形成装置２が生成したある認証情報により管理モードが起動された回数が、当該認証情報が画像形成装置２において生成された時点から数えて決められた回数以下であるか否かが判断される。この場合、画像形成装置２の制御部２０１は、生成された個々の認証情報により管理モードが起動された回数を、個々の認証情報毎にＲＡＭに記憶しておき、当該回数が決められた回数以下である場合に、起動条件を充たすと判断する。起動条件のさらに別の例としては、画像形成装置２が受け付けたある認証情報が、ステップＳＡ４において最も新しく生成された認証情報であるか否かが判断される。この場合、画像形成装置２の制御部２０１は、例えば、新たに認証情報が生成されると、先に生成された認証情報に上書きして新たに生成された認証情報を記憶する。なお、起動条件は、単一の条件である場合に限られず、複数の条件がステップＳＡ１２において判断されても構わない。起動条件を充たすと判断された場合（ステップＳＡ１２：ＹＥＳ）、制御部２０１は、処理をステップＳＡ１３に移行する。起動条件を充たさないと判断された場合（ステップＳＡ１２：ＮＯ）、制御部２０１は、再び移動通信端末３から認証情報が入力されるまで処理を待機する。ステップＳＡ１３において、制御部２０１は、管理モードを起動する。
【００３６】
以上の処理により、表示部１０４に表示された認証情報が、画像形成装置２に入力されると管理者モードが起動される。表示部１０４に認証情報が表示されるためには、その前提として、店員が電子レジスタ１のロックを解除する必要がある。したがって、店舗の利用客などの店員以外の者により管理モードが起動されることが防止される。また、店員により共有指示が入力される度に新たな認証情報が共有されるため、ある期間同じ認証情報が用いられた場合に比べて、画像形成装置２のセキュリティが向上する。さらに、ある期間毎に認証情報を変更し各店員に周知させる場合に比べて、認証情報の管理の手間が軽減される。
【００３７】
（第２実施形態）
図８は、本発明の第２実施形態に係る認証システムＡＳ２の機能的構成を示すブロック図である。認証システムＡＳ２は、認証情報を生成する主体が第１実施形態と異なる。具体的には、認証システムＡＳ２は、電子レジスタ１において認証情報が生成されるという点が、上述の認証システムＡＳ１と異なる。なお、認証システムＡＳ２の全体構成は、図２に示した認証システムＡＳ１の全体構成と同様である。以下では、認証システムＡＳ２について、認証システムＡＳ１と異なる部分を中心に説明する。電子レジスタ１は、図３に示した認証要求送信部１３および認証情報取得部１４に代えて、認証情報生成部１６および認証情報送信部１７を有する。認証情報生成部１６は、指示受付部１２が共有指示を受け付けると、認証情報を生成する。認証情報生成部１６は、指示受付部１２が共有指示を受け付ける度に新たな認証情報を生成する。認証情報送信部１７は、認証情報生成部１６により生成された認証情報を画像形成装置２に送信する。認証情報送信部１７は、共有部Ｃ１の具体例である。認証情報表示部１５は、認証情報生成部１６により生成された認証情報を表示部１０４に表示する。認証システムＡＳ２において、制御部１０１は、認証情報生成部１６の一例である。制御部１０１により制御された通信部１０２は、認証情報送信部１７の一例である。
【００３８】
画像形成装置２は、図３に示した認証要求取得部２４と、認証情報生成部２５、および認証情報送信部２７に代えて、認証情報取得部２８を有する。認証情報取得部２８は、電子レジスタ１により送信された認証情報を取得する。認証情報取得部２８は、共有部Ｃ２の具体例である。認証情報記憶部２６は、認証情報取得部２８により取得された認証情報を記憶する。認証部２２は、認証情報受付部２１により受け付けられた認証情報が認証情報取得部２８により取得された認証情報に対応することを確認し、対応することが確認できた場合に、認証情報の入力をした店員を認証する。管理モード起動部２３は、認証部２２により店員が認証されると管理モードを起動する。認証システムＡＳ２において、制御部２０１により制御された通信部２０２は、認証情報取得部２８の一例である。
【００３９】
図９は、認証システムＡＳ２において実行される処理を示すシーケンスチャートである。ステップＳＢ１からステップＳＢ２において、電子レジスタ１の制御部１０１は、ステップＳＡ１からステップＳＡ２と同様の処理を行う。ステップＳＢ３において、制御部１０１は、認証情報を生成する。具体的には、制御部１０１は、ＲＯＭに記憶されたプログラムが示すアルゴリズムに従って、認証情報を生成する。制御部１０１は、生成された認証情報をＲＡＭに記憶する。ステップＳＢ４において、制御部１０１は、ＲＡＭに記憶された認証情報を画像形成装置２に送信する。ステップＳＢ５において、画像形成装置２の制御部２０１は、電子レジスタ１により送信された認証情報をＲＡＭに記憶する。ステップＳＢ６において、電子レジスタ１の制御部１０１は、生成された認証情報を表示部１０４に表示する。ステップＳＢ７からステップＳＢ１２において、画像形成装置２の制御部２０１または移動通信端末３の制御部３０１は、ステップＳＡ８からステップＳＡ１３と同様の処理を行う。
【００４０】
以上の処理により、店舗の利用客などの店員以外の者により管理モードが起動されることが防止される。また、店員により共有指示が入力される度に新たな認証情報が共有されるため、ある期間同じ認証情報が用いられた場合に比べて、画像形成装置２のセキュリティが向上する。さらに、ある期間毎に認証情報を変更し各店員に周知させる場合に比べて、認証情報の管理の手間が軽減される。
【００４１】
（第３実施形態）
図１０は、本発明の第３実施形態に係る認証システムＡＳ３の全体構成を示す図である。認証システムＡＳ３は、認証情報を生成する主体が第１実施形態および第２実施形態と異なる。具体的には、認証システムＡＳ３は、電子レジスタ１または画像形成装置２とは異なる装置により認証情報が生成されるという点が、上述の認証システムＡＳ１および認証システムＡＳ２と異なる。以下では、認証システムＡＳ３について、上述の認証システムＡＳ（ＡＳ１またはＡＳ２）と異なる部分を中心に説明する。認証システムＡＳ３においては、移動通信端末３に代えてネームカード４が用いられる。ネームカード４には、そのネームカード４を利用する店員を識別するためのバーコード４ｂが印刷されている。バーコード４ｂは、上述の通り、電子レジスタ１における利用者の認証（ロックの解除）に用いられる認証コードを示す。認証システムＡＳ３においては、この認証コードが、電子レジスタ１と画像形成装置２とで認証情報として共有される。店員は、ネームカード４を画像形成装置２の読み取り部２０６に読み取らせることにより、認証情報を画像形成装置２に入力する。なお、認証システムＡＳ３において、認証情報は、表示部１０４に表示されない。
【００４２】
図１１は、認証システムＡＳ３の機能的構成を示すブロック図である。電子レジスタ１は、図３に示した認証要求送信部１３、認証情報取得部１４、および認証情報表示部１５に代えて、認証情報送信部１７および認証情報受付部１８（第２受付手段の一例）を有する。認証情報受付部１８は、指示受付部１２が共有指示を受け付けると、認証情報の入力を受け付ける。認証情報受付部１８は、認証部１１が店員を認証するために用いた認証コードの入力を受け付ける。認証情報送信部１７は、認証情報受付部１８により受け付けられた認証コードを認証情報として画像形成装置２に送信する。認証画像形成装置２は、図８に示した構成と同様の構成を有する。認証システムＡＳ３において、認証情報受付部２１は、読み取り部２０６から認証情報の入力を受け付ける。認証部２２は、認証情報受付部２１により受け付けられた認証情報が、認証情報取得部２８により取得された認証情報に対応することを確認し、対応することが確認できた場合に、認証情報の入力をした店員を認証する。管理モード起動部２３は、認証部２２により店員が認証されると管理モードを起動する。
【００４３】
図１２は、認証システムＡＳ３において実行される処理を示すシーケンスチャートである。ステップＳＣ１からステップＳＣ２において、電子レジスタ１の制御部１０１は、ステップＳＡ１からステップＳＡ２と同様の処理を行う。ステップＳＣ３において、制御部１０１は、認証情報の入力を受け付ける。店員は、ステップＳＣ１における認証と同様に、ネームカード４に印刷されたバーコード４ｂをバーコードリーダ１０６に読み取らせることにより、電子レジスタ１に認証情報を入力する。ステップＳＣ４において、制御部１０１は、入力された認証情報を画像形成装置２に送信する。ステップＳＣ５において、画像形成装置２の制御部２０１は、ステップＳＢ５と同様の処理を行う。ステップＳＣ６において、制御部２０１は、認証情報の入力を受け付ける。店員は、ネームカード４に印刷されたバーコード４ｂを読み取り部２０６に読み取らせることにより、画像形成装置２に認証情報を入力する。具体的には、店員は、ネームカード４を読み取り部２０６のプラテンガラス上に置き、入力部２０５を操作して読み取り開始の指示を入力する。制御部２０１は、読み取った画像の画像データから認証情報を取得する。ステップＳＣ７からステップＳＣ１０において、制御部２０１は、ステップＳＡ１０からステップＳＡ１３と同様の処理を行う。なお、ステップＳＣ８において、制御部２０１は、電子レジスタ１から送信された認証情報と読み取り部２０６から読み取られた認証情報とが対応するか否かを判断する。また、ステップＳＣ９における起動条件としては、例えば、電子レジスタ１である認証情報の入力が受け付けられたとき（ステップＳＣ３）から決められた時間以内に、画像形成装置２が当該認証情報の入力を受け付けたか否かが判断される。この場合、電子レジスタ１の制御部１０１は、ステップＳＣ３においてある認証情報が入力された時刻を当該認証情報に対応付けて画像形成装置２に送信し、画像形成装置２の制御部２０１は、当該時刻から決められた時間以内に当該認証情報の入力（ステップＳＣ６）を受け付けた場合に、起動条件を充たすと判断する。なお、ステップＳＡ１１の起動条件として例示した他の条件が、ステップＳＣ９の起動条件に用いられてもよい。
【００４４】
以上の処理により、バーコードリーダ１０６で読み取られた認証情報としてのバーコード４ｂが、画像形成装置２に入力されると管理モードが起動される。バーコード４ｂが認証情報として読み取られるためには、その前提として、店員が電子レジスタ１のロックを解除する必要がある。したがって、店舗の利用客などの店員以外の者により管理モードが起動されることが防止される。
【００４５】
（第４実施形態）
図１３は、本発明の第４実施形態に係る認証システムＡＳ４の全体構成を示す図である。認証システムＡＳ４は、認証情報を生成する主体が第１実施形態乃至第３実施形態と異なる。具体的には、認証システムＡＳ４は、店員により認証情報が生成されるという点が、上述の認証システムＡＳ１乃至認証システムＡＳ３と異なる。認証システムＡＳ４では、店員が入力部１０５を操作することにより入力された認証情報が、電子レジスタ１と画像形成装置２とで共有される。以下では、認証システムＡＳ４について、認証システムＡＳ３と異なる部分を中心に説明する。認証システムＡＳ４において、店員は、電子レジスタ１に入力した認証情報に対応する認証情報を画像形成装置２に入力する。
【００４６】
認証システムＡＳ４は、図１１に示した認証システムＡＳ３の機能的構成と同様の構成を有する。認証システムＡＳ４において、認証情報受付部１８は、店員が入力部１０５を操作することにより入力した任意の認証情報の入力を受け付ける。つまり、認証情報受付部１８は、認証部１１が店員を認証するために用いた認証コードとは異なる認証情報の入力を受け付ける。認証情報送信部１７は、認証情報受付部１８が受け付けた認証情報を認証情報取得部２８へ送信する。認証システムＡＳ４において、認証情報受付部２１は、入力部２０５から認証情報の入力を受け付ける。認証部２２は、認証情報受付部２１により受け付けられた認証情報が、認証情報取得部２８が認証情報送信部１７から取得した認証情報に対応することを確認し、対応することが確認できた場合に、認証情報の入力をした店員を認証する。管理モード起動部２３は、認証部２２により店員が認証されると管理モードを起動する。
【００４７】
認証システムＡＳ４においては、図１２に示した認証システムＡＳ３の処理と同様の処理が行われる。認証システムＡＳ４が適用される場合、ステップＳＣ３において、店員は、入力部１０５を操作して認証情報を電子レジスタ１に入力する。店員は、例えば、文字列または数字列などを認証情報として入力する。ステップＳＣ６において、店員は、電子レジスタ１に入力した認証情報に対応する認証情報を、入力部２０５を操作して画像形成装置２に入力する。ステップＳＣ８において、制御部２０１は、電子レジスタ１に入力された認証情報と画像形成装置２に入力された認証情報とが対応するか否かを判断する。
【００４８】
以上の処理により、店員が、電子レジスタ１に入力した認証情報に対応する認証情報を画像形成装置２に入力すると、管理モードが起動される。店員が電子レジスタ１に認証情報を入力するためには、その前提として、店員が電子レジスタ１のロックを解除する必要がある。したがって、店舗の利用客などの店員以外の者により管理モードが起動されることが防止される。
【００４９】
本発明は、上述の実施形態に限定されるものではなく、種々の変形実施が可能である。以下、変形例をいくつか説明する。以下で説明する変形例のうち、２つ以上のものが組み合わされて用いられてもよい。
【００５０】
上述の実施形態では、電子レジスタ１が、店員を認証するための認証部１１を備える場合について説明した。この点、電子レジスタ１が店舗の利用客などの店員以外の者によって触れられることのない場所（例えば、電子レジスタ１が通常設置されるレジカウンタなど）に設置して利用される限りにおいては、電子レジスタ１は、必ずしも認証部１１を備えていなくてもよい。
また、上述の実施形態では、電子レジスタ１がＰＯＳシステムにおける端末装置である例を示したが、電子レジスタ１は、必ずしもＰＯＳシステムにおいて利用されていなくてもよい。
【００５１】
上述の認証システムＡＳ１または認証システムＡＳ２において、表示部１０４に表示される認証情報は、ＱＲコードに限らない。例えば、表示部１０４には、バーコードまたは文字列などが認証情報として表示されてもよい。なお、文字列が表示部１０４に表示される場合、店員は、移動通信端末３の操作に代えて、入力部２０５を操作して画像形成装置２に認証情報を入力してもよい。
認証システムＡＳ１または認証システムＡＳ２において、認証情報は、必ずしも表示部１０４に表示されなくてもよい。例えば、電子レジスタ１は、認証情報を表示部１０４に表示するのに代えて、レシート用のロール紙に認証情報を印刷してもよい。
認証システムＡＳ１または認証システムＡＳ２において、移動通信端末３と画像形成装置２との通信は、赤外線通信に限らない。例えば、移動通信端末３と画像形成装置２とは、無線ＬＡＮにより通信を行なってもよい。
移動通信端末３は、画像形成装置２に対して認証情報を入力するために用いられる端末であれば、携帯電話機に限らない。例えば、移動通信端末３には、携帯電話機に代えてタブレット端末が用いられてもよい。
【００５２】
上述の認証システムＡＳ３において、ステップＳＣ３における認証情報の入力は省略されてもよい。この場合、電子レジスタ１は、ステップＳＣ１で取得された店員の認証コードを記憶しておき、共有指示の入力を受け付けると、当該認証コードを認証情報として画像形成装置２に送信する。
【００５３】
認証システムＡＳにおいて用いられる各装置のハードウェア構成は、図４乃至６に示した構成に限らない。各装置は、図７、図９、または図１２に示した各ステップの処理を実行できれば、どのようなハードウェア構成であってもよい。
【００５４】
実施形態において、電子レジスタ１および画像形成装置２によって実行されるプログラムは、磁気記録媒体（磁気テープ、磁気ディスク（ＨＤＤ、ＦＤ（Flexible Disk））など）、光記録媒体（光ディスク（ＣＤ（Compact Disk）、ＤＶＤ（Digital Versatile Disk））など）、光磁気記録媒体、半導体メモリ（フラッシュＲＯＭなど）などのコンピュータが読み取り可能な記録媒体に記憶した状態で提供されてもよい。また、このプログラムは、インターネットなどのネットワーク経由でダウンロードされてもよい。
【符号の説明】
【００５５】
１…電子レジスタ、１１…認証部、Ｃ１…共有部、１２…指示受付部、１３…認証要求送信部、１４…認証情報取得部、１５…認証情報表示部、１６…認証情報生成部、１７…認証情報送信部、１８…認証情報受付部、１０１…制御部、１０２…通信部、１０３…記憶部、１０４…表示部、１０５…入力部、１０６…バーコードリーダ、１０７…ドロア、１０８…印字部、２…画像形成装置、２１…認証情報受付部、２２…認証部、２３…管理モード起動部、２４…認証要求取得部、２５…認証情報生成部、２６…認証情報記憶部、２７…認証情報送信部、２８…認証情報取得部、２０１…制御部、２０２…通信部、２０３…記憶部、２０４…表示部、２０５…入力部、２０６…読み取り部、２０７…画像形成部、３…移動通信端末、３１…認証情報撮影部、３２…認証情報送信部、３０１…制御部、３０２…通信部、３０３…表示部、３０４…入力部、３０５…音声入出力部、３０６…撮影部、４…ネームカード、４ｂ…バーコード
【図１】
2014225079.tif 000003
【図２】
2014225079.tif 000004
【図３】
2014225079.tif 000005
【図４】
2014225079.tif 000006
【図５】
2014225079.tif 000007
【図６】
2014225079.tif 000008
【図７】
2014225079.tif 000009
【図８】
2014225079.tif 000010
【図９】
2014225079.tif 000011
【図１０】
2014225079.tif 000012
【図１１】
2014225079.tif 000013
【図１２】
2014225079.tif 000014
【図１３】
2014225079.tif 000015